(57)【要約】【課題】香りを発散する原料の設置により、密閉空間内で空気をさわやかにする効果を達すると共に、前記香りを発散する原料と広告内容を相互に組み合わせ、広告効果をより強化することができ、構造が簡単で、製造が容易であり、操作が簡単である等の機能を備えた、香りを発散する広告装置の提供。【解決手段】香りを発散する広告装置であって、外殼体を含み、前記外殼体内に収容空間を設け、広告板等の宣伝品と香りを発散する原料を前記収容空間内に設置することができ、前記収容空間の外縁の殼体上に少なくとも１つ以上の発散孔を設け、香りを発散する原料の香りを発散させて密閉空間を浄化し、空気をさわやかにすることができる。【選択図】図１
0003136956.tif 000002
【実用新案登録請求の範囲】
【請求項１】
外殼体を含み、前記外殼体内に収容空間を設け、前記収容空間に広告板等の宣伝物品を収容することができ、前記収容空間は広告板を収容するほか、さらに広告板等の宣伝物品の後方に香りを発散する原料を収容することもでき、前記収容空間外縁の殼体上に少なくとも１つ以上の発散孔を設け、前記香りを発散する原料の香りを前記発散孔から発散することを特徴とする、香りを発散する広告装置。     
【請求項２】
前記香りを発散する原料が芳香剤または磚茶とすることができることを特徴とする、請求項１に記載の香りを発散する広告装置。
【請求項３】
前記収容空間が、広告板等の宣伝物品を設置できるほか、映像・音声装置を設置することもでき、前記透過映像・音声装置の設置により広告効果を大幅に強化すると同時に、香りを発散する原料の発散を促進することを特徴とする、請求項１に記載の香りを発散する広告装置。
【考案の詳細な説明】
【技術分野】
【０００１】
本考案は香りを発散する広告装置に関し、特に、外殼体内に香りを発散する原料を設置することにより、密閉空間内のにおいを効果的に浄化してさわやかにする、香りを発散する広告装置に関する。
【背景技術】
【０００２】
現在、人が多く集まる場所には必ずさまざまな製品の広告があり、このため、エレベーターや化粧室、病室等、人が絶え間なく訪れる場所は、製品広告の最良の場所となっている。現在、上述のような比較的密閉された空間内に設置される広告装置は、透明な外殼体を密閉空間内に固定し、同時に、この透明な外殼体内に広告ポスター等の宣伝物を設置し、人々が出入りするとき、効果的に宣伝効果を発揮するものであるが、上述のような従来の広告宣伝の構造は宣伝の効果を達成するのみであり、その他用途を派生することはできない。
【０００３】
このため、現在別の種類の広告構造として、透明な外殼体内に映像・音声装置を設置し、映像・音声装置の伝播により、多元化された宣伝効果を達するものがある。しかしながら、映像・音声装置は使用者の広告宣伝の効果を達することはできるものの、より多元化した機能を派生することはやはりできない。
【０００４】
この問題から分かるように、上述の従来品にはまだ多くの欠点があり、優れた設計とは言えないため、改良が待たれている。
【０００５】
本考案の考案者は、上述の従来の広告装置から派生する各欠点に鑑みて、改良を施すべく長年研究を重ね、ついに本考案の香りを発散する広告装置の開発に至ったものである。
【考案の開示】
【考案が解決しようとする課題】
【０００６】
本考案の目的は、香りを発散する原料の設置により、密閉空間内で空気をさわやかにする効果を達する、香りを発散する広告装置を提供することにある。
【０００７】
本考案の別の目的は、広告宣伝の効果を達するほか、前記香りを発散する原料と広告内容を相互に組み合わせ、広告効果をより強化することができる、香りを発散する広告装置を提供することにある。
【０００８】
本考案のさらに別の目的は、構造が簡単で、製造が容易であり、操作が簡単である等の機能を備えた、香りを発散する広告装置を提供することにある。
【課題を解決するための手段】
【０００９】
本考案の香りを発散する広告装置は、外殼体を含み、前記外殼体内に収容空間が設けられ、この収容空間の設置により、広告板等の宣伝物品を配置することができ、さらに前記収容空間は広告板を設置できるほか、広告板等宣伝物品の後方に香りを発散する原料を入れることができ、また、この収容空間外縁の殼体上に少なくとも１つ以上の発散孔を設け、気体を流動させると同時に、香りを発散する原料の香りを発散することができるものであり、上述の収容空間は広告板設置区域と香りの原料設置区域を設けてもよく、異なる区域の設置により、単独のみを交換することができ、香りを発散する原料の設置により、広告宣伝効果を達するほか、密閉空間を浄化してさわやかにすることができ、さらに、広告の内容に合わせて発散する香りを組み合わせ、多元的な機能が達せられ、製品の競争力を大幅に向上することができる。
【００１０】
このほか、本考案の外殼体内には広告板等の宣伝物品を設置できるだけでなく、映像・音声装置で代替することもでき、映像・音声装置の設置により、広告効果を大幅に強化すると同時に、映像・音声装置そのものが発する熱気を利用し、香りを発散する原料の香りの発散を促進して空気浄化の効果を大幅に増進することができる。        
【考案の効果】
【００１１】
本考案は広告装置に香りを発散する原料を設置することで、広告宣伝効果を達するだけでなく、密閉空間を浄化してさわやかにすることができ、さらに、広告の内容に合わせて発散する香りを組み合わせ、多元的な機能が達せられ、製品の競争力を大幅に向上することができる。
【実施例１】
【００１２】
図１から図４に本考案の香りを発散する広告装置の立体分解図及び組み立て図に示すように、外殼体１を含み、前記外殼体１内に収容空間１１を設け、この収容空間１１の設置により、広告板２等の宣伝物品を収容することができ、前記収容空間１１は広告板２を収容できるほか、広告板２等の宣伝物品の後方に香りを発散する原料３を入れることができ、そのうち前記香りを発散する原料３は芳香剤、磚茶等とすることができる。
【００１３】
また、収容空間１１外縁の殼体１上に少なくとも１つ以上の発散孔１２を設け、気体を流動させるほか、香りを発散する原料３の香りを発散させることができる。上述の収容空間１１は広告板設置区域１１１と香りの原料設置区域１１２を設けることもでき、異なる区域を設けることにより単独のみを交換することができる。
【００１４】
上述の外殼体１は透明の外殼体とし、広告宣伝の用途に影響しないものとすることができ、このほか、広告板２等の宣伝物品は上下から出し入れや交換ができるほか、外殼体１内の収容空間１１の開口部を変更して左右から出し入れするようにしてもよく、異なる使用環境及び場面に合わせて設計と製造をすることができ、香りを発散する原料３の設置により、広告宣伝の効果を達するほか、密閉空間を効果的に浄化してさわやかにすることができる。また、多元化した機能の設置に加え、前記香りを発散する原料３と広告板２の内容を相互に組み合わせることで、広告効果を強化した香りを発散する広告装置とすることができる。
【実施例２】
【００１５】
図５に本考案の香りを発散する広告装置の別の実施例の立体図を示す。本考案の外殼体１内には広告板２等の宣伝物品を設置するのに代えて映像・音声装置４を設置してもよく、映像・音声装置４の設置により広告の効果を大幅に強化することができ、同時に映像・音声装置４そのものが発する熱気を利用し、香りを発散する原料３の香りの発散を促進して、空気浄化の効果を大幅に増進することができる。
【００１６】
上記の詳細な説明は、本考案の最良の実施例を具体的に説明したものであり、前記実施例は本考案の特許範囲を制限するものではなく、本考案の技術的要旨を逸脱しないあらゆる同等効果の実施または変更はすべて本考案の特許範囲に含まれるものとする。
【図面の簡単な説明】
【００１７】
【図１】本考案の香りを発散する広告装置の立体分解図である。
【図２】本考案の香りを発散する広告装置の立体斜視図である。
【図３】本考案の香りを発散する広告装置の別の実施例の立体分解図である。
【図４】本考案の香りを発散する広告装置の別の実施例の立体斜視図である。
【図５】本考案の香りを発散する広告装置のさらに別の実施例の立体斜視図である。
【符号の説明】
【００１８】
１        外殼体
１１      収容空間
１１１    広告板設置区域
１１２    香りの原料設置区域
１２      発散孔
２      広告板
３      香りの原料
４        映像・音声装置
【図１】
0003136956.tif 000003
【図２】
0003136956.tif 000004
【図３】
0003136956.tif 000005
【図４】
0003136956.tif 000006
【図５】
0003136956.tif 000007